(57)【特許請求の範囲】
【請求項１】
内視鏡に配管されている複数の流体管路として挿入部の先端において外方に開口するチャンネルと外部の送気装置に接続された送気管と吸引装置に接続された吸引管の三つの流体管路が接続されたシリンダ体内にピストン体が軸線方向に進退自在に嵌挿されて、上記ピストン体を待機状態から押し込み操作することにより、上記ピストン体の移動範囲の所定の中間押込位置と最大押込位置とで上記挿入部の先端において外方に開口するチャンネルに対する上記送気管と上記吸引管の接続関係が切り換わるように構成された内視鏡の管路切換装置において、
上記ピストン体を押し込まれた状態から上記待機状態に戻すための弾性部材を、中空の８の字状の断面形状であって頭部側半部の肉厚より基部側半部の肉厚の方が薄い形状に形成して、上記ピストン体が押し込まれるのに伴って上記中空の８の字状の断面形状の弾性部材が縦方向に押し潰され、上記二つの半部のうち肉厚の薄い基部側半部が完全に潰された状態になるときの位置を上記所定の中間押込位置と合致させたことを特徴とする内視鏡の管路切換装置。
【請求項２】
上記弾性部材内とその外部とを連通させる通気孔が上記弾性部材の外壁部に形成されている請求項１記載の内視鏡の管路切換装置。
【請求項３】
上記通気孔が、上記弾性部材の二つの半部のうちの肉厚の厚い頭部側半部に形成されている請求項２記載の内視鏡の管路切換装置。
【請求項４】
上記頭部側半部が完全に潰されたときに上記二つの半部の間で空気を出し入れするための通気路が、上記二つの半部の間に形成されている請求項３記載の内視鏡の管路切換装置。
【発明の詳細な説明】
【０００１】
【発明の属する技術分野】
この発明は内視鏡の管路切換装置に関する。
【０００２】
【従来の技術】
内視鏡には、送気送水や吸引操作を行うための操作装置が操作部に配置されている。
【０００６】
【発明が解決しようとする課題】
【０００８】
しかし、従来のものは装置が複雑で高コストになり、また使用後の完全な洗浄も困難になっていた。
【０００９】
そこで本発明は、シンプルな、したがって低コストで使用後の洗浄が容易な内視鏡の管路切換装置を提供することを目的とする。
【００１０】
上記の目的を達成するため、本発明の内視鏡の管路切換装置は、内視鏡に配管されている複数の流体管路として挿入部の先端において外方に開口するチャンネルと外部の送気装置に接続された送気管と吸引装置に接続された吸引管の三つの流体管路が接続されたシリンダ体内にピストン体が軸線方向に進退自在に嵌挿されて、ピストン体を待機状態から押し込み操作することにより、ピストン体の移動範囲の所定の中間押込位置と最大押込位置とで挿入部の先端において外方に開口するチャンネルに対する送気管と吸引管の接続関係が切り換わるように構成された内視鏡の管路切換装置において、ピストン体を押し込まれた状態から待機状態に戻すための弾性部材を、中空の８の字状の断面形状であって頭部側半部の肉厚より基部側半部の肉厚の方が薄い形状に形成して、ピストン体が押し込まれるのに伴って中空の８の字状の断面形状の弾性部材が縦方向に押し潰され、二つの半部のうち肉厚の薄い基部側半部が完全に潰された状態になるときの位置を所定の中間押込位置と合致させたものである。
【００１１】
なお、弾性部材内とその外部とを連通させる通気孔が弾性部材の外壁部に形成されているとよく、その場合、通気孔が弾性部材の二つの半部のうちの肉厚の厚い頭部側半部に形成されているとよく、頭部側半部が完全に潰されたときに二つの半部の間で空気を出し入れするための通気路が、二つの半部の間に形成されているとよい。
【００１２】
【発明の実施の形態】
図面を参照して本発明の実施例を説明する。
図５は胃その他の消化管検査用に用いられる内視鏡を示しており、２は操作部、３は可撓管からなる挿入部である。挿入部３の先端には、対物光学系などを内蔵した先端部本体５が連結されている。
【００１３】
操作部２には、前側に送気吸引切換操作弁４０が設けられ、上端に接眼部８が突設されている。操作部２に連結された連結可撓管９の先端には、光源装置に着脱自在に接続されるコネクタ（図示せず）が取り付けられている。
【００１４】
操作部２内から挿入部３内には、先端部本体５において外方に開口する送気・吸引兼鉗子チャンネル６（以下、単に「チャンネル６」という）が挿通されている。
【００１５】
そのチャンネル６の基端側は、送気吸引切換操作弁４０の底部に連通接続されている。また、図示されていない外部の送気装置と吸引装置に接続された送気管１１と吸引管１２とが、連結可撓管９内を通って送気吸引切換操作弁４０の側面に接続されている。
【００１６】
図１は、送気吸引切換操作弁４０の待機状態を示しており、シリンダ体４１が操作部２内に設けられていて、その口元が操作部２の外部に開口している。そして、チャンネル６がシリンダ体４１の底部の中心軸位置に接続され、送気管１１と吸引管１２がシリンダ体４１の側面に接続されている。また、シリンダ体４１の側面には大気に通じるリーク孔４２が穿設されている。
【００１７】
シリンダ体４１内には、金属又はプラスチック製のピストン体４３が軸方向に進退自在に嵌挿されており、そのピストン体４３の軸線位置には、全長にわたる軸孔４５（通路）が貫通して穿設されている。
【００１８】
ピストン体４３の外周面には、送気管１１と吸引管１２とリーク孔４２とに連通する幅広の連通溝４６が円周面に形成されている。その連通溝４６より手元側（口元側）には、幅狭の円周溝４７が形成されていて、連通孔４８が円周溝４７と軸孔４５とを連通させている。各溝４６，４７の前後には、各々ピストン体４３の外周にシール用のＯリングが装着されている。
【００１９】
ピストン体４３の頭部はシリンダ体４１の口元から外方に突出していて、その突出部の突端には、弾力性のある例えばゴム製の操作ボタン５０（弾性部材）が取り付けられている。
【００２０】
操作ボタン５０の突端側は、ピストン体４３の突端部に突設されたフランジ状部４３ａに着脱自在に取り付けられていて、操作ボタン５０の基部は、シリンダ体４１の口元に突設されたフランジ状部４１ａに着脱自在に取り付けられている。
【００２１】
操作ボタン５０は、中空の８の字状の断面形状に形成されていて、その中間部には、上下の室内を連通させる通気路５１がピストン体４３との間に形成されている。
【００２２】
操作ボタン５０は、シリンダ体４１寄りの基部側半部５０ａの肉厚の方が、頭部側半部５０ｂの肉厚より薄く形成されている。したがって、ピストン体４３をシリンダ体４１内に押し込む方向に操作ボタン５０を突端側から指先で押すと、先ず図２に示されるように基部側半部５０ａが潰され、さらに操作ボタン５０を押すと、図３に示されるように頭部側半部５０ｂが潰される。
【００２３】
そして、指先の押し込み力を緩めると、操作ボタン５０の弾力性によって、先ず図２に示されるように頭部側半部５０ｂが復元し、次いで図１に示されるように基部側半部５０ａが復元する。
【００２４】
５２は、そのような操作時に操作ボタン５０内の空気を外部へ出し入れするために、頭部側半部５０ｂの外壁面に穿設された通気孔である。また５３は、図３に示されるように頭部側半部５０ｂを押し潰した際に、頭部側半部５０ｂと基部側半部５０ａとの間で空気を出し入れするための通気溝５３である。
【００２５】
操作ボタン５０の突端部には、操作指を当て付けるための指当て５４が形成されており、その中央には、常時は閉じていて処置具１００を挿入するとそれによって開かれる「−」状のスリットが形成されていて、その部分がいわゆる鉗子栓になっている。
【００２６】
このように形成された実施例装置においては、待機状態においては、図１に示されるように、送気管１１からシリンダ体４１内に送り込まれた空気が連通溝４６を通って吸引管１２に吸引され、その送気量と吸引量との差分の空気が、リーク孔４２から送り出され又は吸い込まれる。
【００２７】
そして、図２に示されるように、指当て５４に当て付けた指先で、操作ボタン５０の基端側半部５０ａが完全に潰れる位置までピストン体４３を押し込むと、円周溝４７が送気管１１の開口部に面して、円周溝４７と連通孔４８とを介して送気管１１が軸孔４５に通じ、さらにチャンネル６を介して送気管１１から挿入部先端に送気される。吸引管１２には、リーク孔４２と連通溝４６を介して大気が吸引される。
【００２８】
図３に示されるように、操作ボタン５０が完全に潰れるまでピストン体４３を押し込むと、円周溝４７が吸引管１２の開口部に面して、円周溝４７と連通孔４８とを介して吸引管１２が軸孔４５に通じ、チャンネル６を介して挿入部先端から吸引管１２に吸引が行われる。送気管１１からシリンダ体４１内に送り込まれた空気は、通気路５１、通気溝５３及び通気孔５２を介して大気に放出される。
【００２９】
図４に示されるように、待機状態において、外方から鉗子栓５５のスリットに処置具１００を挿入すれば、処置具１００が、スリットを押し開いて、ピストン体４３に形成された軸孔４５内を通ってチャンネル６内に案内され、挿入部先端の開口部から突出される。
【００３０】
また、内視鏡検査終了後には、操作ボタン５０をシリンダ体４１及びピストン体４３から取り外して、ピストン体４３をシリンダ体４１から抜き出し、シリンダ体４１内とピストン体４３及び鉗子栓５５などを同時に容易に洗浄することができる。
【００３１】
【発明の効果】
本発明の内視鏡の管路切換装置によれば、シンプルで低コストで使用後の洗浄も容易な構造にすることができる。
【図面の簡単な説明】
【図１】実施例の待機状態の縦断面図である。
【図２】実施例の送気状態の縦断面図である。
【図３】実施例の吸引状態の縦断面図である。
【図４】実施例の処置具使用状態の縦断面図である。
【図５】実施例の内視鏡の側面図である。
【符号の説明】
６  チャンネル
１１  送気管
１２  吸引管
４１  シリンダ体
４３  ピストン体
【図１】
0003825752.tif 000002
【図２】
0003825752.tif 000003
【図３】
0003825752.tif 000004
【図４】
0003825752.tif 000005
【図５】
0003825752.tif 000006